(57)【特許請求の範囲】
【請求項１】
無線ダイレクト通信機能と、受信した印刷ジョブを留め置く留め置き機能とを有する印刷装置であって、
前記留め置き機能を使用するか否かを設定する設定手段と、
前記印刷装置が受信した印刷ジョブが、前記無線ダイレクト通信機能によって受信した印刷ジョブであるか否かを判定する判定手段と、
前記留め置き機能を使用すると前記設定手段によって設定されている場合であっても、前記受信した印刷ジョブが前記無線ダイレクト通信機能によって受信した印刷ジョブであると前記判定手段によって判定されたことに応じて、前記受信した印刷ジョブを留め置かずに印刷する制御手段とを備えることを特徴とする印刷装置。
【請求項２】
前記無線ダイレクト通信機能によって受信した印刷ジョブを留め置く設定を行う第２の設定手段を更に備え、
前記受信した印刷ジョブが前記無線ダイレクト通信機能によって受信した印刷ジョブであり、かつ、前記第２の設定手段による設定が行われている場合、前記判定手段は、前記受信した印刷ジョブを留め置くと判定することを特徴とする請求項１に記載の印刷装置。
【請求項３】
前記留め置き機能を使用すると前記設定手段によって設定され、かつ、前記受信した印刷ジョブが前記無線ダイレクト通信機能とは異なる通信機能によって受信した印刷ジョブであると前記判定手段によって判定された場合に、前記受信した印刷ジョブは記憶手段に留め置かれることを特徴とする請求項１又は２記載の印刷装置。
【請求項４】
前記無線ダイレクト通信機能とは異なる通信機能は、有線ＬＡＮ機能、又は、無線インフラ機能であることを特徴とする請求項３に記載の印刷装置。
【請求項５】
前記記憶手段に留め置かれている印刷ジョブに対する印刷指示が前記印刷装置にユーザから入力されたことに応じて、前記制御手段は、前記留め置かれている印刷ジョブを印刷することを特徴とする請求項３又は４記載の印刷装置。
【請求項６】
前記留め置き機能を使用しないと前記設定手段によって設定されている場合、前記制御手段は、前記受信した印刷ジョブを留め置かずに印刷することを特徴とする請求項１乃至５のいずれか１項に記載の印刷装置。
【請求項７】
前記留め置き機能を使用するか否かをユーザが選択する設定画面を表示する表示手段を更に備え、
前記設定手段は、前記ユーザの選択に従って、前記留め置き機能を使用するか否かを設定することを特徴とする請求項１乃至６のいずれか１項に記載の印刷装置。
【請求項８】
前記受信した印刷ジョブの送信先ＩＰアドレスが前記無線ダイレクト通信機能のＩＰアドレスと一致する場合に、前記判定手段は、前記受信した印刷ジョブが前記無線ダイレクト通信機能によって受信した印刷ジョブであると判定することを特徴とする請求項１乃至７のいずれか１項に記載の印刷装置。
【請求項９】
前記無線ダイレクト通信機能は、Ｗｉ−Ｆｉ Ｄｉｒｅｃｔであることを特徴とする請求項１乃至８のいずれか１項に記載の印刷装置。
【請求項１０】
無線ダイレクト通信機能と、受信した印刷ジョブを留め置く留め置き機能とを有する印刷装置の制御方法であって、
前記留め置き機能を使用するか否かを設定する設定ステップと、
前記印刷装置が受信した印刷ジョブが、前記無線ダイレクト通信機能によって受信した印刷ジョブであるか否かを判定する判定ステップと、
前記留め置き機能を使用すると前記設定ステップで設定されている場合であっても、前記受信した印刷ジョブが前記無線ダイレクト通信機能によって受信した印刷ジョブであると前記判定ステップで判定されたことに応じて、前記受信した印刷ジョブを留め置かずに印刷する制御ステップとを有することを特徴とする制御方法。
【請求項１１】
請求項１０記載の制御方法をコンピュータに実行させるためのプログラム。
【発明の詳細な説明】
【技術分野】
【０００１】
本願発明は、印刷装置、印刷装置の制御方法及びプログラムに関する。
【背景技術】
【０００２】
複合機やプリンタ等の印刷装置において、無線ＬＡＮ機能を備えるものが増えている。無線ＬＡＮ機能を備える印刷装置は、アクセスポイントを介してＰＣやモバイル端末等の外部装置から印刷データを受信し、そして受信した印刷データに基づいて印刷処理を実行する。
【０００３】
また印刷装置の中には、アクセスポイントのような中継装置を介さずに外部装置との間で直接無線ＬＡＮ通信を行う（以下、無線ダイレクト通信を行うという）ための、Ｗｉ−Ｆｉ  Ｄｉｒｅｃｔ等の無線ダイレクト通信手段を有するものも存在する。特許文献１には、この無線ダイレクト通信手段によりモバイル端末との通信を行う印刷装置が開示されている。
【０００４】
特許文献１では、無線ダイレクト通信を行う際、ユーザはまず印刷装置の操作パネルからＷｉ−Ｆｉ  Ｄｉｒｅｃｔの開始ボタン等を選択して開始状態にする。次にユーザはモバイル端末の操作パネルから接続ボタン等を選択することで、モバイル端末から接続要求が印刷装置に送信され、印刷装置がこの接続要求に応答した時点で無線ダイレクト通信が確立される。
【０００５】
一方、特許文献２のように印刷装置には、ユーザ指示があるまで受信した印刷ジョブを排紙処理せず、印刷装置内部の記憶領域に保持する留め置き印刷機能という機能を搭載するものが多い。かかるユーザ指示として、ユーザは印刷装置の目の前まで行って、操作パネルからその溜め置かれた自分の印刷ジョブを選択し印刷指示する必要がある。本機能は、印刷ジョブの取り忘れ防止等の目的があり、ユーザが印刷装置の装置前にいる事を保証されている（以下「装置前保証がある」という）場合のみ印刷を許可する機能である。
【先行技術文献】
【特許文献】
【０００６】
【特許文献１】特開２０１３−２０５９８２号公報
【特許文献２】特開２００４−１８１７６３号公報
【発明の概要】
【発明が解決しようとする課題】
【０００７】
しかしながら、前記印刷装置で留め置き設定が有効になっている場合であって、かつ、ユーザが前記Ｗｉ−Ｆｉ  Ｄｉｒｅｃｔのような無線ダイレクト通信で印刷ジョブを投入することがある。この場合、ユーザは無線ダイレクト通信を開始する為に印刷装置の目の前にいる事が前提となる。そのため、装置前保証があるにも関わらず、無線ダイレクト通信で投入した印刷ジョブは印刷装置に留め置かれ、ユーザはわざわざ操作パネルから自分のジョブを検索して印刷操作を行わなければならず、ユーザの利便性を低下させ操作負荷を増やしていた。
【０００８】
本願発明は、留め置き設定が有効である場合に無線ダイレクト通信で印刷ジョブを投入したときのユーザの利便性を向上させることを目的とする。
【課題を解決するための手段】
【０００９】
本願発明の印刷装置は、無線ダイレクト通信機能と、受信した印刷ジョブを留め置く留め置き機能とを有する印刷装置であって、前記留め置き機能を使用するか否かを設定する設定手段と、前記印刷装置が受信した印刷ジョブが、前記無線ダイレクト通信機能によって受信した印刷ジョブであるか否かを判定する判定手段と、前記留め置き機能を使用すると前記設定手段によって設定されている場合であっても、前記受信した印刷ジョブが前記無線ダイレクト通信機能によって受信した印刷ジョブであると前記判定手段によって判定されたことに応じて、前記受信した印刷ジョブを留め置かずに印刷する制御手段とを備えることを特徴とする。
【発明の効果】
【００１０】
本願発明によれば、留め置き設定が有効である場合に無線ダイレクト通信で印刷ジョブを投入したときのユーザの利便性を向上させることができる。
【図面の簡単な説明】
【００１１】
【図１】本願発明の実施形態１にかかる印刷装置を含むネットワークシステムの構成を説明する図である。
【図２】本願発明の実施形態１にかかる印刷装置のハードウェア構成を説明する図である。
【図３】本願発明の実施形態１における外部から受信した印刷ジョブに対する処理の手順を示すフローチャートである。
【図４】本願発明の実施形態１における留め置き設定を行う際の操作部の画面を例示する図である。
【図５】本願発明の実施形態１におけるモバイル端末が投入する印刷ジョブのパケットデータを例示する図である。
【図６】図２の印刷装置の操作部に表示される留め置きジョブの受信リストの画面を例示する図である。
【図７】図２の印刷装置の操作部に表示される、無線ダイレクト通信を開始および停止させる画面を例示する図であり、（ａ）は無線ダイレクト通信を開始するための画面、（ｂ）、（ｃ）は無線ダイレクト通信を停止するための画面である。
【図８】図１のネットワークシステムにおいて無線ダイレクト通信時の強制スル―プリント処理を実行する場合のシーケンス図である。
【図９】本願発明の実施形態２における強制スル―プリント設定を行う際の操作部の画面を例示する図である。
【図１０】本願発明の実施形態２における外部から受信した印刷ジョブに対する処理の手順を示すフローチャートである。
【図１１】本願発明の実施形態２における各種Ｉ／Ｆ毎の留め置き設定を行う際の操作部の画面を例示する図である。
【図１２】本願発明の実施形態３における外部から受信した印刷ジョブに対する処理の手順を示すフローチャートである。
【図１３】本願発明の実施形態３におけるモバイル端末が投入する印刷ジョブのパケットデータを例示する図である。
【発明を実施するための形態】
【００１２】
以下、本願発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１３】
（実施形態１）
図１は、本願発明の実施形態１にかかる印刷装置１００を含むネットワークシステム１の構成を説明する図である。
【００１４】
図１において、ネットワークシステム１は、印刷装置１００、ＰＣ端末１１０，１５０、モバイル端末１２０、アクセスポイント１３０、及びルータ１４０を備える。
【００１５】
印刷装置１００は３つのネットワークＩ／Ｆを有し、これらのネットワークＩ／Ｆが同時に動作するマルチホーム機能（ネットワーク通信手段・ネットワーク通信部）を搭載する。印刷装置１００は、ＰＣ端末１１０と有線ＬＡＮ経由で、ＰＣ端末１５０とはルータ１４０を介して有線ＬＡＮ経由で接続されていて、印刷装置１００は有線ＬＡＮＩ／ＦのＩＰアドレス１７２．２４．１１．１を使用する。また、印刷装置１００がモバイル端末１２０とアクセスポイントやゲートウェイのような中継装置を介さずにＷｉ−Ｆｉ  Ｄｉｒｅｃｔ等の無線ダイレクト通信を行う場合は、無線ダイレクトＩ／ＦのＩＰアドレス１９２．１６８．２２．１を使用する。この時、印刷装置１００が無線ダイレクト通信のサーバとなり接続要求を受け付け、モバイル端末１２０がクライアントとなり印刷装置１００に接続要求を送信し、無線ダイレクト通信を確立する。また、印刷装置１００が、ＰＣ端末１５０やモバイル端末１２０とアクセスポイント１３０を介して無線ＬＡＮ通信する場合は、無線インフラＩ／ＦのＩＰアドレス１５０．１５．１１．２を使用する。
【００１６】
尚、本実施形態では、印刷装置１００は３つのネットワークＩ／Ｆを有していた。しかしながら、無線ダイレクトＩ／Ｆと上述したそれ以外のネットワークＩ／Ｆの少なくとも２つのネットワークＩ／Ｆが同時に動作するマルチホーム機能を搭載するものであれば、上記構成に限定されるものではない。
【００１７】
図２は、本願発明の実施形態１にかかる印刷装置１００のハードウェア構成を説明する図である。尚、本実施形態では、印刷装置１００はプリンタ機能以外にスキャナ機能も備える複合機であるが、スキャナ機能を備えないプリンタであってもよい。
【００１８】
印刷装置１００は、ＣＰＵ２０１、ＲＡＭ２０２、ＲＯＭ２０３、ＨＤＤ２０４、プリンタＩ／Ｆ２０６、スキャナＩ／Ｆ２０８、操作パネルＩ／Ｆ２１０、無線ダイレクトＩ／Ｆ２１２、有線ＬＡＮＩ／Ｆ２１３、及び無線インフラＩ／Ｆ２１４を備える。これらの印刷装置１００の構成要素はバス２０５を介して互いに接続される。
【００１９】
ＲＡＭ２０２は、ＣＰＵ２０１の主メモリ、ワークエリア等の一時記憶領域として用いられ、ＲＯＭ２０３は、制御プログラムを記憶し、ＨＤＤ２０４は、印刷データやスキャン画像等の様々なデータを記憶する。
【００２０】
印刷装置１００はさらに、プリンタＩ／Ｆ２０６と接続するプリンタ２０７（印刷処理部）、スキャナＩ／Ｆ２０８と接続するスキャナ２０９、及び操作パネルＩ／Ｆ２１０と接続する操作部２１１を備える。
【００２１】
また、印刷装置１００は、無線ダイレクトＩ／Ｆ２１２と無線インフラＩ／Ｆ２１４とに接続する無線ＬＡＮチップ２１５、及び有線ＬＡＮＩ／Ｆ２１３と接続する有線ＬＡＮチップ２１６を備える。
【００２２】
ＣＰＵ２０１はＲＯＭ２０３が記憶している制御プログラムを読み出して、印刷装置１００の動作を制御するための様々な処理を実行する。なお、本実施形態に係る印刷装置１００の場合、１つのＣＰＵ２０１が後述するフローチャートに示す各処理を実行するものとするが、他の態様であっても構わない。例えば、複数のＣＰＵが協働して後述するフローチャートに示す各処理を実行するようにすることもできる。
【００２３】
プリンタ２０７は、外部装置から受信した印刷データやスキャナ２０９によって生成されたスキャン画像等に基づいて、シートに対して印刷処理を実行し、これを排紙する（以下、「印刷・排紙処理」という）。スキャナ２０９は、原稿を読み取ってスキャン画像（読取画像データ）を生成する。スキャナ２０９によって生成されたスキャン画像は、プリンタ２０７によって印刷されたり、ＨＤＤ２０４に記憶される。
【００２４】
操作部２１１は、タッチパネル機能を有する液晶表示部やキーボードを備え、後述する各種画面を表示する。ユーザは、操作部２１１を介して印刷装置１００に対して指示や情報を入力することができる。
【００２５】
無線ＬＡＮチップ２１５は無線ＬＡＮ通信で外部装置との通信を実現し、無線ＬＡＮの接続種別として無線インフラ接続や直接無線接続のような接続種別を有する。
【００２６】
無線ダイレクトＩ／Ｆ２１２（無線ダイレクト通信部）は、無線ＬＡＮチップ２１５を介して、モバイル端末１２０等の外部装置との間でＷｉ−Ｆｉ  Ｄｉｒｅｃｔ等の無線ダイレクト通信を実行する。
【００２７】
無線インフラＩ／Ｆ２１４（他の通信部）は、無線ＬＡＮチップ２１５を介して、アクセスポイント１３０により中継されるＰＣ端末１５０やモバイル端末１２０等の外部装置との間で無線ＬＡＮ通信を実行する。
【００２８】
有線ＬＡＮＩ／Ｆ２１３（他の通信部）は、ＰＣ端末１１０，１５０等の外部装置との間で有線ＬＡＮチップ２１６を介して有線ＬＡＮで通信を実行する。
【００２９】
図３は、本願発明の実施形態１における外部から受信した印刷ジョブに対する処理の手順を示すフローチャートである。図３のフローチャートに示す各ステップは、ＣＰＵ２０１がＲＯＭ２０３等のメモリに格納された制御プログラムをＲＡＭ２０２に展開して実行することによって処理される。
【００３０】
ステップＳ３０１においてＣＰＵ２０１が、外部端末から印刷ジョブを受信したと判定した場合、ステップＳ３０２に進む。ステップＳ３０２において、ＣＰＵ２０１は印刷装置１００において留め置き処理を実行する設定（以下、「留め置き設定」という）が有効か否かを判定する。ここで、留め置き処理とは、操作部２１１上でのユーザ指示があるまで、受信した印刷ジョブに基づく印刷データのシートへの印刷及びこれの排紙をプリンタ２０７に実行させることなく、印刷装置１００内部のＨＤＤ２０４に保持する処理をいう。留め置き設定が有効か否かの判定は図４に示す画面において予め操作部２１１で設定された留め置き設定の内容を参照して判断される。
【００３１】
留め置き設定が無効である場合（ステップＳ３０２でＮＯ）、ステップＳ３０５に進み、ＣＰＵ２０１は、留め置き処理を実行することなく、プリンタ２０７に印刷・排紙処理を実行させた後、本処理を終了する。留め置き設定が有効である場合（ステップＳ３０２でＹＥＳ）、ステップＳ３０３に進む。ステップＳ３０３においてＣＰＵ２０１は受信した印刷ジョブが印刷装置１００の無線ダイレクトＩ／Ｆ２１２から受信したかどうかを判定する。無線ダイレクトＩ／Ｆ２１２以外のネットワークＩ／Ｆから受信したと判定した場合（ステップＳ３０３でＮＯ）、ＣＰＵ２０１はステップＳ３０４に進む。ステップＳ３０４において、ＣＰＵ２０１は、印刷装置１００において有効となっている留め置き設定に従い、留め置き処理を実行し、本処理を終了する。無線ダイレクトＩ／Ｆ２１２から受信したと判定した場合（ステップＳ３０３でＹＥＳ）、ステップＳ３０５に進む。ステップＳ３０５において、ＣＰＵ２０１は、留め置き処理を実行することなく、プリンタ２０７に印刷・排紙処理を実行させた後、本処理を終了する。
【００３２】
このように、印刷装置１００では、留め置き設定が有効な場合であっても受信した印刷ジョブを無線ダイレクトＩ／Ｆ２１２から受信した場合は、留め置き処理を実行することなく、プリンタ２０７に印刷・排紙処理を実行させる。よって、装置前保証がある場合における無駄な留め置き処理が実行されず、ユーザの操作負荷の軽減および利便性の向上を実現できる。
【００３３】
図５は、本願発明の実施形態１におけるモバイル端末１２０が投入する印刷ジョブのパケットデータを例示する図である。
【００３４】
ＣＰＵ２０１は、図５に例示される印刷ジョブのパケットデータを印刷装置１００が受信すると、受信したパケットデータに基づき、図３のステップＳ３０３の処理を行なう。すなわち、この印刷ジョブを無線ダイレクトＩ／Ｆ２１２から受信したかどうかを判定する処理を行なう。この判定は、どのネットワークＩ／Ｆで印刷ジョブを受信したか判定する、いくつかの方法の一つをＣＰＵ２０１が実行することにより行われる。例えば送信先Ｅｔｈｅｒ  ＨｅａｄｅｒのＭＡＣアドレスが印刷装置１００の有線ＬＡＮＩ／Ｆ２１３、無線インフラＩ／Ｆ２１４、無線ダイレクトＩ／Ｆ２１２のうちのいずれのＭＡＣアドレスに一致するかどうかで判定する。あるいは、送信先ＩＰ  ＨｅａｄｅｒのＩＰアドレスが印刷装置１００の有線ＬＡＮＩ／Ｆ２１３、無線インフラＩ／Ｆ２１４、無線ダイレクトＩ／Ｆ２１２のうちのいずれのＩＰアドレスに一致するかどうかで判定する。あるいは、送信元ＩＰ  ＨｅａｄｅｒのＩＰアドレスが、印刷装置１００がＤＨＣＰサーバとして割り当てたＩＰアドレスの対象かどうかで判定する。
【００３５】
図５の例では、送信先ＩＰ  ＨｅａｄｅｒのＩＰアドレスが印刷装置１００の無線ダイレクトＩ／Ｆ２１２のＩＰアドレスに一致している。よって、図３のステップＳ３０３において、ＣＰＵ２０１はこの印刷ジョブを無線ダイレクトＩ／Ｆ２１２から受信したと判定する。
【００３６】
図６は、図２の印刷装置１００の操作部２１１に表示される留め置きジョブの受信リストの画面を例示する図である。ここで、留め置きジョブとは、印刷装置１００において留め置き処理がなされた印刷ジョブを指す。
【００３７】
図６において例示されるように、留め置きジョブの受信リスト５０１は、留め置きジョブのジョブ名、オーナー名、受信日時から構成される。ユーザはこの受信リスト５０１の中から自分の名前がオーナー名となっている留め置きジョブを検索し、その留め置きジョブの印刷データに基づく印刷処理の実行指示を行うと、留め置きジョブに対する留め置き設定が解除される。この解除後、留め置きジョブの印刷データに基づいて、シートに対して印刷処理が実行され、これが排紙される。尚、図６に例示される受信リスト５０１のように他のオーナーの留め置きジョブも操作部２１１の画面に表示されるような構成ではなくてもよい。例えば、ユーザが留め置きジョブの受信リストを印刷装置１００の操作部２１１に表示する際には、ユーザ認証処理を要するようにして、ユーザの留め置きジョブのみが受信リストとして操作部２１１に表示される構成になっていてもよい。
【００３８】
図７は、図２の印刷装置１００の操作部２１１に表示される、無線ダイレクト通信を開始および停止させる画面を例示する図であり、（ａ）は無線ダイレクト通信を開始するための画面、（ｂ）、（ｃ）は無線ダイレクト通信を停止するための画面である。
【００３９】
デフォルトでは、無線ダイレクト通信は停止中状態であり、ユーザによって、図７（ａ）に例示される画面が操作部２１１に表示され、この画面上の開始ボタンを押下されるまで、ＣＰＵ２０１は無線ダイレクト通信の開始を待機する。図７（ａ）の画面上でユーザが開始ボタンを押下すると、ＣＰＵ２０１は無線ダイレクト通信を開始する。これにより、無線ダイレクト通信はモバイル端末１２０からの接続要求受信待ち状態となり、操作部２１１の画面表示は図７（ｂ）に例示される画面に切り替わる。その後、モバイル端末１２０と印刷装置１００の間で無線ダイレクト通信の接続が完了した場合、無線ダイレクト通信は接続中状態となり、操作部２１１の画面表示は図７（ｃ）に例示される画面に切り替わる。図７（ｂ）の画面又は図７（ｃ）の画面が表示されている間にユーザが停止ボタンを押下した場合、あるいはモバイル端末１２０から切断処理を受信した場合、再び無線ダイレクト通信は停止中状態となる。この場合、操作部２１１の画面表示は図７（ａ）に例示される画面に切り替わる。
【００４０】
図８は、図１のネットワークシステム１において無線ダイレクト通信時に強制スループリント処理を実行する場合のシーケンス図である。ここで強制スループリントとは、図３のステップ３０５の処理を指す。
【００４１】
まず、ユーザが、無線ダイレクト通信のデフォルト状態（停止中状態）で操作部２１１で図７（ａ）の画面を表示し、その開始ボタンを押下したとき、ＣＰＵ２０１はこの無線ダイレクト通信開始操作を検知する（ステップＳ７０１）。次にステップＳ７０２において、ＣＰＵ２０１は、無線ダイレクト通信開始処理を実行する。このとき、操作部２１１には図７（ｂ）の画面が表示される。
【００４２】
その後、ステップＳ７０３において印刷装置１００とモバイル端末１２０の間の無線ダイレクト通信接続が完了すると、操作部２１１には図７（ｃ）の画面が表示される。
【００４３】
この図７（ｃ）の画面が操作部２１１に表示されたのを受け、ユーザがモバイル端末１２０から無線ダイレクト通信により送信した印刷ジョブを印刷装置１００において受信したとき、ＣＰＵ２０１はこの印刷ジョブ送信を検知する（ステップＳ７０４）。この検知に応じて、ＣＰＵ２０１は送信された印刷ジョブに関して、留め置き処理を実行することなく、プリンタ２０７により印刷・排紙処理を実行させる（ステップＳ７０５）。この印刷・排紙処理が終了した後、ユーザが操作部２１１に表示されている図７（ｃ）の画面上の停止ボタンを押下すると、ＣＰＵ２０１はこの無線ダイレクト停止操作を検知する（ステップＳ７０６）。この検知に応じて、ＣＰＵ２０１は印刷装置１００とモバイル端末１２０の間の無線ダイレクト通信接続を切断させる（ステップＳ７０７）。
【００４４】
このように、印刷装置１００では、ユーザ操作によりモバイル端末１２０から印刷ジョブが無線ダイレクト通信により送信されたと検知された場合は、その印刷ジョブに関して、留め置き処理を実行することなく、プリンタ２０７に印刷・排紙処理を実行させる。これにより、装置前保証がある場合における無駄な留め置き処理が実行されず、ユーザの操作負荷の軽減および利便性の向上を実現できる。
【００４５】
（実施形態２）
本実施形態では、印刷装置１００において無線ダイレクト通信で受信したジョブを留め置きするか強制スル―プリントするかどうかのスイッチを設ける場合の制御について説明する。図９では、そのスイッチとしての操作部２１１の画面例を、図１０ではその制御をフローチャートを用いて説明する。
【００４６】
図９は、本願発明の実施形態２における強制スル―プリント設定を行う際の操作部２１１の画面を例示する図である。
【００４７】
本実施形態では、印刷装置１００の留め置き設定が有効の場合でも、無線ダイレクト通信で印刷ジョブを受信した場合については、別途、その印刷ジョブを留め置くか強制スル―プリントするかどうかの設定を行う。具体的には、図９の画面上で、強制スル―プリントについて「する」が設定された場合（すなわち、強制スル―プリントの設定が有効である場合）は、留め置き設定が有効でも、無線ダイレクト通信で受信した印刷ジョブは留め置かずに強制スル―プリントする。
【００４８】
図１０は、本願発明の実施形態２における外部から受信した印刷ジョブに対する処理の手順を示すフローチャートである。図１０のフローチャートに示す各ステップは、ＣＰＵ２０１がＲＯＭ２０３等のメモリに格納された制御プログラムをＲＡＭ２０２に展開して実行することによって処理される。
【００４９】
ステップＳ９０１からステップＳ９０４までは実施形態１における処理の手順（図３のステップＳ３０１からステップＳ３０４）と同等である。ステップＳ９０５において、ＣＰＵ２０１は図９の画面上で設定された内容を参照し、強制スル―プリントの設定が有効かどうかを判定する。図９の画面上で強制スル―プリントについて「する」が設定された場合、強制スル―プリントの設定が有効であると判定して（ステップＳ９０５でＹＥＳ）ステップＳ９０６に進む。ＣＰＵ２０１は、留め置き処理を実行することなく、プリンタ２０７に印刷・排紙処理を実行させた後（ステップＳ９０６）、本処理を終了する。
【００５０】
一方、図９の画面上で強制スル―プリントについて「しない」が設定された場合、強制スル―プリントの設定が有効でないと判定して（ステップＳ９０５でＮＯ）ステップＳ９０４に進む。ＣＰＵ２０１は印刷装置１００において有効となっている留め置き設定に従い、留め置き処理を実行し（ステップＳ９０４）、本処理を終了する。
【００５１】
また、図９で例示する画面の代わりに、図１１に示す各ネットワークＩ／Ｆで留め置き設定をするか否かを設定する画面を操作部２１１で表示するようにしてもよい。各ネットワークＩ／Ｆが印刷ジョブを受信したら、図１１の画面において、それぞれに設定された留め置き設定に従って、ＣＰＵ２０１は印刷装置１００で受信した印刷ジョブに対する処理動作をする。
【００５２】
このように、印刷ジョブを無線ダイレクトＩ／Ｆ２１２で受信した場合に備えて、予めユーザはその受信した印刷ジョブを留め置きするかどうかについて設定可能であるので、ユーザの所望の動作を実現する事ができる。
【００５３】
（実施形態３）
本実施形態では、モバイル端末１２０が印刷装置１００に対して送信する印刷ジョブの留め置きをする、しないを指示する場合の制御を、図１３に示すその指示を含むパケットデータ例と図１２のフローチャートを用いて説明する。
【００５４】
図１３は、本願発明の実施形態３におけるモバイル端末１２０が投入する印刷ジョブのパケットデータを例示する図である。図１３に示すパケットデータは、基本的には実施形態１にかかるパケットデータ（図５）と同等であるが、ジョブ属性に「強制スル―プリントを希望する、しない」の属性を示すＪｏｂ  Ｓｐｅｃｉｆｉｃ  Ｄａｔａ（設定情報）が埋め込まれている点が異なる。尚、モバイル端末１２０は、Ｊｏｂ  Ｓｐｅｃｉｆｉｃ  Ｄａｔａを予めパケットデータに埋め込んでおいてもよい。また、無線ダイレクト通信によるジョブ投入だと判断したときに、Ｊｏｂ  Ｓｐｅｃｉｆｉｃ  Ｄａｔａをパケットデータにモバイル端末１２０が埋め込むようにしてもよい。
【００５５】
図１２は、外部から受信した印刷ジョブに対する処理の手順を示すフローチャートである。図１２のフローチャートに示す各ステップは、ＣＰＵ２０１がＲＯＭ２０３等のメモリに格納された制御プログラムをＲＡＭ２０２に展開して実行することによって処理される。
【００５６】
ステップＳ１１０１からステップＳ１１０４までは実施形態１における処理の手順（図３のステップＳ３０１〜Ｓ３０４）と同等である。ステップＳ１１０５において、ＣＰＵ２０１は図１３に示すＪｏｂ  Ｓｐｅｃｉｆｉｃ  Ｄａｔａの属性が「強制スル―プリントを希望する」であるか否かに基づき、強制スル―プリントの設定が有効かどうかを判定する。Ｊｏｂ  Ｓｐｅｃｉｆｉｃ  Ｄａｔａの属性として、「強制スル―プリントを希望する」旨の属性がある場合、強制スル―プリントの設定が有効であると判定して（ステップＳ１１０５でＹＥＳ）ステップＳ１１０６に進む。この場合、ＣＰＵ２０１は、留め置き処理を実行することなく、プリンタ２０７に印刷・排紙処理を実行させた後（ステップＳ１１０６）、本処理を終了する。
【００５７】
一方、Ｊｏｂ  Ｓｐｅｃｉｆｉｃ  Ｄａｔａの属性として、「強制スル―プリントを希望しない」旨の属性がある場合、強制スル―プリントの設定が有効でないと判定して（ステップＳ１１０５でＮＯ）ステップＳ１１０４に進む。この場合、ＣＰＵ２０１は、印刷装置１００において有効となっている留め置き設定に従い、留め置き処理を実行し（ステップＳ１１０４）、本処理を終了する。
【００５８】
このように、モバイル端末１２０側から投入される印刷ジョブを含むパケットデータに、その印刷ジョブを留め置きするかどうかの指示が格納される。よって、印刷装置１００側で留め置きするかどうかの判定を行うための余分な操作画面や制御処理を搭載しなくとも、ユーザの所望の動作を実現する事ができる。
【００５９】
（その他の実施形態）
本願発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６０】
１００  印刷装置
１２０  モバイル端末
１３０  アクセスポイント
２０１  ＣＰＵ  
２０４  ＨＤＤ
２０７  プリンタ
２１２  無線ダイレクトＩ／Ｆ
２１３  有線ＬＡＮＩ／Ｆ
２１４  無線インフラＩ／Ｆ
２１１  操作部
【図１】
0006335863.tif 000002
【図２】
0006335863.tif 000003
【図３】
0006335863.tif 000004
【図４】
0006335863.tif 000005
【図５】
0006335863.tif 000006
【図６】
0006335863.tif 000007
【図７】
0006335863.tif 000008
【図８】
0006335863.tif 000009
【図９】
0006335863.tif 000010
【図１０】
0006335863.tif 000011
【図１１】
0006335863.tif 000012
【図１２】
0006335863.tif 000013
【図１３】
0006335863.tif 000014